(57)【要約】      （修正有）【課題】カッティングプロッタで使用可能なロータリーカッターを提供する。【解決手段】カッティングプロッタのペンキャリッジに取付けられるハウジング２１と、被切断媒体２のカッティング面２ａと交差する方向に延びる軸線Ｃを中心にしてハウジング２１に回転自在に支持された軸部材３１とを備える。軸部材３１に軸線Ｃとは偏心した位置で軸線Ｃに対して直交するように設けられた支軸４１と、支軸４１を介してハウジング２１に対して回転自在に構成された円板状の刃２２とを備えている。【選択図】図３
2020179457.tif 000002
【特許請求の範囲】
【請求項１】
被切断媒体に沿って平行移動するカッティングプロッタのペンキャリッジに取付けられるハウジングと、
前記被切断媒体のカッティング面と交差する方向に延びる軸線を中心にして前記ハウジングに回転自在に支持された軸部材と、
前記軸部材に前記軸線とは偏心した位置で前記軸線に対して直交するように設けられた支軸と、
前記支軸を介して前記ハウジングに対して回転自在に構成された円板状の刃とを備えたことを特徴とするカッティングプロッタのロータリーカッター。
【請求項２】
請求項１記載のカッティングプロッタのロータリーカッターにおいて、
さらに、前記軸部材と前記ハウジングとの間に設けられて前記軸部材を回転自在に支持する軸受を備え、
前記軸部材は、
前記ハウジングに前記軸受を介して回転自在に支持された軸部と、
前記軸部に一体に形成されて前記支軸の軸線方向の一端部を支持する第１の支持部と、
前記第１の支持部に着脱可能に取付けられて前記支軸の軸線方向の他端部を支持する第２の支持部とを有していることを特徴とするカッティングプロッタのロータリーカッター。
【請求項３】
請求項１または請求項２記載のカッティングプロッタのロータリーカッターにおいて、
前記ハウジングは、
前記軸部材を収容する円筒状の本体と、
円筒状に形成されて前記刃を覆う状態で前記本体の開口部に螺着されたキャップとを備え、
前記キャップのねじ込み量が変わることにより前記刃が前記キャップの開口端から突出する量である刃出し量が変わるように構成されていることを特徴とするカッティングプロッタのロータリーカッター。
【発明の詳細な説明】
【技術分野】
【０００１】
本発明は、円板状の回転する刃を有するロータリーカッターに関する。
【背景技術】
【０００２】
カッティングプロッタは、カッティングペンの刃が被切断媒体に刺されている状態でカッティングペンが被切断媒体に沿って平行移動することにより文字や絵柄を切り出すものである。カッティングペンの刃は、尖った刃先を有し、例えば特許文献１に記載されているように、カッティングペンの軸心部に回転自在に取り付けられている。
ところで、布を切断可能なカッターとしては、円板状の刃が回転して被切断媒体を切断するロータリーカッターが知られている。
【先行技術文献】
【特許文献】
【０００３】
【特許文献１】特開２０１３−７８８１３号公報
【発明の概要】
【発明が解決しようとする課題】
【０００４】
従来のカッティングプロッタにおいては、被切断媒体として布を使用するとカッティングペンの刃先が布の繊維を引っ張ることがあった。ロータリーカッターであれば布の繊維を引っ張ることなく布を切断可能である。このため、カッティングプロッタで使用可能なロータリーカッターが要請されている。
【０００５】
本発明の目的は、カッティングプロッタで使用可能なロータリーカッターを提供することである。
【課題を解決するための手段】
【０００６】
この目的を達成するために、本発明に係るカッティングプロッタのロータリーカッターは、被切断媒体に沿って平行移動するカッティングプロッタのペンキャリッジに取付けられるハウジングと、前記被切断媒体のカッティング面と交差する方向に延びる軸線を中心にして前記ハウジングに回転自在に支持された軸部材と、前記軸部材に前記軸線とは偏心した位置で前記軸線に対して直交するように設けられた支軸と、前記支軸を介して前記ハウジングに対して回転自在に構成された円板状の刃とを備えたものである。
【０００７】
本発明は、前記カッティングプロッタのロータリーカッターにおいて、さらに、前記軸部材と前記ハウジングとの間に設けられて前記軸部材を回転自在に支持する軸受を備え、前記軸部材は、前記ハウジングに前記軸受を介して回転自在に支持された軸部と、前記軸部に一体に形成されて前記支軸の軸線方向の一端部を支持する第１の支持部と、前記第１の支持部に着脱可能に取付けられて前記支軸の軸線方向の他端部を支持する第２の支持部とを有していてもよい。
【０００８】
本発明は、前記カッティングプロッタのロータリーカッターにおいて、前記ハウジングは、前記軸部材を収容する円筒状の本体と、円筒状に形成されて前記刃を覆う状態で前記本体の開口部に螺着されたキャップとを備え、前記キャップのねじ込み量が変わることにより前記刃が前記キャップの開口端から突出する量である刃出し量が変わるように構成されていてもよい。
【発明の効果】
【０００９】
本発明においては、円板状の刃がペンキャリッジの被切断媒体に対する相対移動に追従しながら回転して被切断媒体を切断する。したがって、本発明によれば、カッティングプロッタで使用可能なロータリーカッターを提供することができる。
【図面の簡単な説明】
【００１０】
【図１】本発明に係るロータリーカッターを備えたカッティングプロッタの斜視図である。
【図２】ロータリーカッターの正面図である。
【図３】図２におけるIII−III線断面図である。
【図４】軸部材の正面図である。
【図５】軸部材の側面図である。
【図６】ロータリーカッターの分解斜視図である。
【発明を実施するための形態】
【００１１】
以下、本発明に係るカッティングプロッタのロータリーカッターの一実施の形態を図１〜図６を参照して詳細に説明する。
図１に示すカッティングプロッタ１は、被切断媒体２から図形や文字を切り出すための装置である。被切断媒体２は、紙や布、プラスチックシートなどを用いることができる。布からなる被切断媒体２は、そのままの状態で使用することができるが、図示していない台紙の上に貼り付けて使用することもできる。
【００１２】
以下において、このカッティングプロッタ１の構成を説明するうえで方向を示すにあたっては、被切断媒体２の搬送方向の上流側を前側（図１においては左下側）とし、搬送方向の下流側（図１においては右上側）を後側として行う。また、以下においては、被切断媒体２の搬送方向とは直交する水平方向を左右方向として説明する。すなわち、このカッティングプロッタ１を被切断媒体２の搬送方向の上流側から見た状態で左側をカッティングプロッタ１の左側とし、右側をカッティングプロッタ１の右側として説明する。
【００１３】
この実施の形態によるカッティングプロッタ１は、左右方向の中央部に被切断媒体２が載置される作業ステージ３が設けられている。作業ステージ３は、被切断媒体２の搬送方向に延びるとともに、左右方向に延びるように形成されている。被切断媒体２は、作業ステージ３の上に載置され、作業ステージ３を横切るように設けられたピンチローラ４を含む搬送装置５によって図１において搬送方向の上流側から下流側に送られる。
作業ステージ３の上方近傍には、後述するロータリーカッター６を保持するペンキャリッジ７が左右方向へ移動可能に設けられている。被切断媒体２のカッティングは、ロータリーカッター６が被切断媒体２に押し付けられた状態でペンキャリッジ７が左右方向に移動するとともに、被切断媒体２が搬送装置５によって駆動されて前側または後側に移動して行われる。
【００１４】
作業ステージ３より左右方向の一方側（左側には）、作業ステージ３より上方に突出する第１の凸部１１が設けられている。作業ステージ３より左右方向の他方側（右側）には、作業ステージ３より上方に突出する第２の凸部１２が設けられている。これらの第１の凸部１１の上端部と、第２の凸部１２の上端部との間には、左右方向に延びる上部ハウジング１３が設けられている。
【００１５】
ロータリーカッター６は、図２に示すように、ペンキャリッジ７のホルダー７ａに取付けられるハウジング２１と、このハウジング２１の下端から下方に向けて突出する刃２２とを備えている。ハウジング２１は、ホルダー７ａより上に位置する筒体２３と、ホルダー７ａと接する本体２４と、本体２４の下端に被せられて螺着されたキャップ２５とによって構成されている。筒体２３の上端は蓋部材２３ａによって閉塞されている。
【００１６】
本体２４とキャップ２５は、それぞれ円筒状に形成され、互いに同一軸線上に位置している。キャップ２５の上端部内と本体２４との間には、図３に示すように、Ｏリング２６が挟まれている。キャップ２５を本体２４にねじ込んだり緩めたりする際には、Ｏリング２６との接触部に摩擦抵抗が生じる。このため、キャップ２５の本体２４へのねじ込み量を変えた状態でキャップ２５をその位置に保持しておくことが可能になる。
【００１７】
本体２４の内部には、図３に示すように、軸心部に位置する軸部材３１と、この軸部材３１と本体２４との間に設けられて軸部材３１を回転自在に支持する二つの軸受３２，３３とが収容されている。軸受３２，３３は、本体２４と同一軸線上に位置しており、本体２４の厚肉部２４ａの上端部と下端部とに嵌合している。上側に位置する軸受３２は、厚肉部２４ａに上方から嵌合している。下側に位置する軸受３３は、厚肉部２４ａに下方から嵌合している。
【００１８】
本体２４の軸線Ｃは、被切断媒体２のカッティング面２ａ（上面）と交差する方向（上下方向）に延びている。このロータリーカッター６を支持するペンキャリッジ７は、被切断媒体２のカッティング面に沿って平行移動する。このため軸線Ｃは、ペンキャリッジ７の移動方向に対して垂直である。
軸受３２，３３は、詳細には図示してはいないが転がり軸受によって構成されている。この軸受３２，３３は、軸線方向の荷重を受けながら軸部材３１を回転自在に支持する性能を有している。
【００１９】
軸部材３１は、図４および図６に示すように、ハウジング２１の本体２４に軸受３２，３３を介して回転自在に支持された軸部３４と、この軸部３４に一体に形成された第１の支持部３５と、この第１の支持部３５に着脱可能に取付けられた第２の支持部３６とを有している。軸部３４と第１の支持部３５とは、一体成形によって一体に形成されている。軸部３４は、軸受３２，３３の図示していない内輪に嵌合する円柱状に形成されている。軸部３４の上端部には固定用ボルト３７が螺着されている。固定用ボルト３７は、ワッシャ３８を介して上側の軸受３２に接触している。この固定用ボルト３７が軸部３４にねじ込まれることにより、ワッシャ３８と第１の支持部３５との間に二つの軸受３２，３３の図示していない内輪が挟まれ、二つの軸受３２，３３の図示していない外輪が本体２４の厚肉部２４ａを上下方向から挟み込む状態で外輪に固定される。
【００２０】
第２の支持部３６は、第１の支持部３５に嵌合する２本の位置決めピン３６ａ，３６ｂ（図６参照）を有し、固定用ボルト３９によって第１の支持部３５に着脱可能に取付けられている。
第１の支持部３５と第２の支持部３６は、図４に示すように、支軸４１を回転自在に支持している。支軸４１は、図３および図５に示すように、本体２４の軸線Ｃとは偏心した位置で軸線Ｃに対して直交するように設けられている。軸線Ｃと支軸４１の軸心とは距離Ｄだけ離間している。
第１の支持部３５は、支軸４１の軸線方向の一端部を回転自在に支持している。第２の支持部３６は、支軸４１の軸線方向の他端部を回転自在に支持している。
【００２１】
支軸４１には円板状の刃２２が設けられている。刃２２は、支軸４１および軸部材３１を介してハウジング２１に対して回転自在に構成されている。すなわち、刃２２は、支軸４１を中心にして回転するとともに、軸部材３１の軸部３４を中心にしても回転する。
刃２２の軸線方向（厚み方向）の位置は、図４に示すように、軸部材３１を軸線Ｃおよび支軸４１と直交する方向から見て軸線Ｃと重なるように位置付けられている。
【００２２】
刃２２は、図３に示すように、ハウジング２１のキャップ２５によって覆われている。キャップ２５の開口端から突出した刃２２の外周部が被切断媒体２を切断する。刃２２がキャップ２５の開口端から突出する量である刃出し量は、キャップ２５を本体２４にねじ込む際のねじ込み量を変えることによって変えることができる。
【００２３】
このように構成されたロータリーカッター６を備えたカッティングプロッタ１においては、ロータリーカッター６の刃２２が作業ステージ３上の被切断媒体２に押し付けられている状態でペンキャリッジ７と搬送装置５とが動作することによって、カッティングが行われる。カッティング中に被切断媒体２に対するペンキャリッジ７の移動方向が変わると、刃２２が支軸４１を中心にして回転しながら、軸部材３１の軸部３４を中心にしてペンキャリッジ７に対して回転する。この結果、刃２２がペンキャリッジ７の被切断媒体２に対する相対移動に追従する。このため、被切断媒体２が布であっても、刃２２が布の繊維に引っかかることがなく、この被切断媒体２を円滑に切断することができる。
したがって、この実施の形態によれば、カッティングプロッタで使用可能なロータリーカッターを提供することができる。
【００２４】
この実施の形態によるロータリーカッター６は、ハウジング２１と軸部材３１との間に設けられて軸部材３１を回転自在に支持する軸受３２，３３を備えている。軸部材３１は、ハウジング２１に軸受３２，３３を介して回転自在に支持された軸部３４と、軸部３４に一体に形成されて支軸４１の軸線方向の一端部を支持する第１の支持部３５と、第１の支持部３５に着脱可能に取付けられて支軸４１の軸線方向の他端部を支持する第２の支持部３６とを有している。
このため、第２の支持部３６を第１の支持部３５から取り外すことによって刃２２を軸部材３１から取り外すことが可能になる。したがって、刃２２を簡単に交換することが可能なカッティングプロッタのロータリーカッターを提供することができる。
【００２５】
この実施の形態によるハウジング２１は、軸部材３１を収容する円筒状の本体２４と、円筒状に形成されて刃２２を覆う状態で本体２４の開口部に螺着されたキャップ２５とを備えている。このキャップ２５のねじ込み量が変わることにより、刃２２がキャップ２５の開口端から突出する量である刃出し量が変わる。
このため、キャップ２５をハウジング２１の本体２４に対して回すことによって刃出し量を調整することができる。したがって、被切断媒体の厚みに応じて刃出し量を調整可能なカッティングプロッタのロータリーカッターを提供することができる。
【符号の説明】
【００２６】
１…カッティングプロッタ、２…被切断媒体、２ａ…カッティング面、６…ロータリーカッター、７…ペンキャリッジ、２１…ハウジング、２２…刃、２４…本体、２５…キャップ、３１…軸部材、３２，３３…軸受、３４…軸部、３５…第１の支持部、３６…第２の支持部、４１…支軸、Ｃ…軸線。
【図１】
2020179457.tif 000003
【図２】
2020179457.tif 000004
【図３】
2020179457.tif 000005
【図４】
2020179457.tif 000006
【図５】
2020179457.tif 000007
【図６】
2020179457.tif 000008